【手続補正書】
【提出日】平成17年2月28日(2005.2.28)
【手続補正１】
【補正対象書類名】明細書
【補正対象項目名】特許請求の範囲
【補正方法】変更
【補正の内容】
【特許請求の範囲】
【請求項１】
通信相手を特定する文字列情報が入力される端末インタフェース部と、
前記文字列情報と相手先電話端末番号との対応を格納している情報データベースと、
前記情報データベースの格納情報を用いて前記文字列情報を電話端末番号に変換する文字列情報変換手段と、
前記変換された電話端末番号に通信要求信号を出力する網インタフェース部と、
を備える交換装置。
【請求項２】
前記文字列情報が、コンピュータネットワークにおける電子的情報交換の情報交換先の同定に使用される文字列と同一の構文規則を持つ請求項１記載の交換装置。
【請求項３】
前記文字列情報が、コンピュータネットワークにおける電子メールのアドレスに使用される文字列と同一の構文規則を持つ請求項１記載の交換装置。
【請求項４】
前記文字列情報が、１つ以上の要素と、要素間に挿入される区切り文字から構成される構文規則を持つ請求項１記載の交換装置。
【請求項５】
前記文字列情報が、個人名もしくはグループ名に対応する要素と、１以上の階層を持つ組織名に対応する１以上の要素と、要素間に挿入される区切り文字から構成される構文規則を持ち、
前記文字列情報変換手段が、文字列の全文の入力により公衆網の電話番号を検索し、組織名の上位階層に対応する要素を除いた文字列の部分の入力により組織内専用線網の電話番号を検索し、個人名もしくはグループ名に対応する要素のみの入力により内線網の電話番号を検索する請求項１記載の交換装置。
【請求項６】
前記文字列情報が、個人名もしくはグループ名に対応する要素と、１以上の階層を持つ組織名に対応する１以上の要素と、要素間に挿入される区切り文字から構成される構文規則を持ち、
前記文字列情報変換手段が、文字列の全文の入力によりインターネットプロトコルのアドレスを検索し、組織名に対応する要素の入力によりインターネットプロトコルのアドレスにおけるネットワーク部およびサブネット部を検索し、個人名もしくはグループ名に対応する要素の入力によりインターネットプロトコルのアドレスにおけるホスト部を検索する請求項１記載の交換装置。
【請求項７】
前記情報データベースが、文字列と電話端末番号の対応の組を１以上含むグループを管理し、グループ名称を表す文字列の入力により、グループに含まれる電話端末番号のうち１つを出力する請求項１記載の交換装置。
【請求項８】
通信相手を特定する文字列情報を入力する文字列入力手段と、
前記文字列情報と相手先電話端末番号との対応を格納している情報データベースと、
前記情報データベースの格納情報を用いて前記文字列情報を電話端末番号に変換する文字列情報変換手段と、
前記変換された電話番号を交換装置に出力する制御部と、
を備える電話端末。
【請求項９】
通信相手を特定する文字列情報を入力する文字列入力手段と、
前記文字列情報を出力する制御部とを含む電話端末と、
請求項１記載の交換装置と、
前記交換装置と接続された網とを具備する電話交換システム。
【請求項１０】
通信相手を特定する文字列情報を入力する文字列入力手段と、
前記文字列情報を出力する制御部とを含む電話端末と、
前記電話端末を接続する端末インタフェース部と網インタフェース部とを含む交換装置と、
前記交換装置と接続された網と、
前記網のうち前記交換装置の接続点と異なる接続点に接続され、
前記文字列情報と相手先電話端末番号との対応を格納している情報データベースと、
前記情報データベースの格納情報を用いて前記文字列情報を電話端末番号に変換する文字列情報変換手段と含む変換装置と、
を具備する電話交換システム。
【請求項１１】
電話端末と、
前記電話端末を接続する電話端末インタフェース部と、
文字列情報を符号化して文字列コード情報を作成する符号化手段と、
前記文字列コード情報を出力する回線交換部と、
を備えた交換装置と、
前記交換装置と接続された網と、
前記網に接続され、前記文字列コード情報を復号し前記文字列情報を作成する復号化手段と、
前記情報データベースと前記文字列情報変換手段と
を含む相手先交換装置と
を備える電話交換システム。
【請求項１２】
前記情報データベースおよび前記文字列情報変換手段のうち、
任意の少なくとも２組以上を具備し、
使用する前記情報データベースおよび前記文字列情報変換手段を切替える
請求項１１記載の電話交換システム。
【請求項１３】
通信相手を特定する数字列情報を入力する数字列入力手段と、
通信相手を特定する文字列情報を入力する文字列入力手段と、
前記数字列入力手段と前記文字列入力手段とを切替える入力制御手段と、
前記入力制御手段により切替られた情報を出力する制御部と、
を含む電話端末と、
通信相手を特定する情報が入力される端末インタフェース部と、
入力された情報が文字列情報か数字列情報か判断する入力情報解析手段と、
前記文字列情報と相手先電話端末番号との対応を格納している情報データベースと、
前記情報データベースの格納情報を用いて前記文字列情報を電話端末番号に変換する文字列情報変換手段と、
前記変換された電話端末番号又は前記数字列情報の示す電話端末番号に通信要求信号を出力する網インタフェース部と
を含む交換装置と、
を備える電話交換システム。
【請求項１４】
前記電話端末は、入力制御手段の制御対象が文字列入力手段であるか数字列入力手段であるかを表示する入力手段表示部を備える請求項１３記載の電話交換システム。
【請求項１５】
前記交換装置が、コンピュータネットワークとの接続を行ない情報の入出力を行なう第１のネットワーク接続インタフェース部を含み、
コンピュータネットワークとの接続を行ない情報の入出力がされる第２のネットワーク接続インタフェース部と、
前記第２のネットワーク接続インタフェース部から入力される前記コンピュータネットワークにおける電子的情報交換を管理する電子的情報交換管理手段と、
電子的情報交換により交換される電子的情報に含まれる情報交換先の同定に使用される文字列および電話番号を抽出し、前記第２のネットワーク接続インタフェース部に出力する情報抽出手段とを含む電子的情報交換管理装置と、
を有する請求項９記載の電話交換システム。
【請求項１６】
前記電子的情報交換管理手段が、電子メールを管理し、
前記情報抽出手段が、電子メールに含まれる電子メールアドレスおよび電話番号を抽出する請求項１５記載の電話交換システム。
【請求項１７】
前記電子的情報交換管理装置は、
コンピュータネットワークに接続される装置から情報交換先の同定に使用される文字列および電話番号を含む電子的情報を回収して前記情報抽出手段に入力する電子的情報回収手段を備える請求項１５記載の電話交換システム。
【請求項１８】
前記交換装置が、前記網より取得した発信者の電話番号情報を前記電子的情報回収手段に伝送し、
前記電子的情報回収手段が、前記電話番号情報を含む電子的情報をコンピュータネットワークに接続される他の装置から回収する請求項１７記載の電話交換システム。
【請求項１９】
前記交換装置は、コンピュータネットワークにおける電子的情報交換において定義される情報集合および該情報集合に関連する個人情報および前記情報集合に含まれる個人情報の優先順位に関する情報を管理する情報集合管理手段を備え、
前記文字列入力手段から情報集合の名称を表す文字列が入力された場合に、前記文字列変換手段が、前記優先順位に依存した相手先端末番号を選択して変換する請求項９記載の電話交換システム。
【請求項２０】
前記交換装置は、
第１の相手先端末番号に対応する相手先端末装置が話中あるいは応答しない状態の場合に、前記情報データベースが、前記情報集合における優先順位に依存した第２の相手先端末番号を選択して出力し、前記回線交換部が第１の相手先端末装置への発信を中止し第２の相手先端末装置へ発信する請求項１１記載の電話交換システム。
【請求項２１】
前記交換装置は、
前記電話端末の文字列入力手段から情報集合を表す文字列情報が入力された場合に、前記文字列情報に対応する情報を検出し、前記検出結果を前記電話端末に送信し、
前記電話端末は、
前記情報データベースに含まれる優先順位および文字列の一部もしくは全部を前記表示部に表示し、前記文字列入力手段により任意の相手先を選択する請求項２０記載の電話交換システム。
【請求項２２】
前記交換装置は、
前記電話端末の文字列入力手段から情報集合を表す文字列情報が入力された場合に、前記情報データベースを検索し、記録されている前記文字列情報に含まれる電話番号の電話端末を一斉に呼出状態にする請求項２１記載の電話交換システム。
【請求項２３】
前記交換装置は、
優先順位に依存して相手先端末番号を選択する場合の選択規則を表す文字列を解釈し適用する選択規則制御手段を備え、
前記電話端末の文字列入力手段から情報集合を表す文字列情報および優先順位に依存して相手先端末番号を選択する場合の選択規則を表す文字列情報が入力された場合に、
前記文字列情報変換手段が、前記情報集合における優先順位に依存した相手先端末番号を、前記選択規則制御手段により付与された選択規則に従い選択して変換する請求項１９記載の電話交換システム。
【手続補正２】
【補正対象書類名】明細書
【補正対象項目名】００８６
【補正方法】変更
【補正の内容】
【００８６】
ステップ1205においては、端末装置インタフェース部106が電話端末101から相手先電話端末111への発呼要求を回線交換部107に伝達し、回線交換部107が電話端末101を発呼状態にすると共に、相手先電話端末111を着呼状態にする。